(57)【特許請求の範囲】
【請求項１】
トラックの荷台の前後、左右及び天井を覆う、前面パネル、後面パネル、左右の側面パネル、天井パネルとを備え、前記天井パネルと、少なくとも前記側面パネルの一方が開閉自在とされたステージカーであって、前記荷台の上部に嵩上げされた本体ステージと、前記荷台の側縁部近傍の内側に蝶着され開閉自在なはね出しステージと、前記はね出しステージを開閉するはね出しステージ開閉装置とを備え、前記はね出しステージは前記はね出しステージ開閉装置と連結する連結部を備え設置状態でステージとして使用する所要の強度を有し、さらに、該はね出しステージは収納時に前記荷台の内側所要位置に保持固定され、前記本体ステージは、前記荷台の上部に敷設された所要高さのステージフレーム部と、該ステージフレーム部の表面に貼設されたステージ床部とを備え、前記はね出しステージ開閉装置は前記はね出しステージ設置後前記本体ステージの嵩上げ部分に収納可能で、さらに、前記ステージフレーム部に内設されたベースフレーム部と、前記ベースフレーム部に下端部を軸支され油圧で作動する油圧シリンダーと、前記油圧シリンダーの上端部が軸着され前記油圧シリンダーの作動に伴い揺動する揺動アーム部と、前記揺動アーム部に一方の端部が軸着され他端部が前記連結部と係止可能な連結ワイヤーとからなることを特徴とするステージカー。
【請求項２】
前記はね出しステージは、金属製のはね出しステージフレーム部と、該はね出しステージフレーム部の表面に帖設されたはね出しステージ床部と、前記はね出しステージ開閉装置と連結する連結部と、前記はね出しステージフレーム部に着脱自在なはね出しステージ脚部とを備え、前記本体ステージは、前記荷台の上部に敷設された所要高さのステージフレーム部と、該ステージフレーム部の表面に貼設されたステージ床部とを備えることを特徴とする請求項１に記載のステージカー。
【請求項３】
前記側面パネルと前記天井パネルとが連結固定され、前記側面パネルと前記天井パネルとを一体として上方へ跳ね上げることで開放するステージカーであって、前記開放状態における前記側面パネルが前記ステージ後方に向け傾斜し、雨水が後方へ流れることを特徴とする請求項１に記載のステージカー。
【請求項４】
前記ステージカーは、前記はね出しステージを設置した状態で該はね出しステージの周縁部に延設する延設ステージを備え、前記延設ステージは前記はね出しステージを設置した位置の周縁部近傍に配置する金属製の延設ステージ用足場と、前記延設ステージ用足場に載置される延設パネルとからなり、前記はね出しステージ周縁部に連結されることを特徴とする請求項１乃至請求項３のいずれか１項に記載のステージカー。
【請求項５】
前記ステージカーは、前記荷台を支え前記本体ステージの水平を調整するための油圧シリンダーを有する車両脚部を備え、該油圧シリンダーが電動ポンプで発生する油圧で作動することを特徴とする請求項１乃至請求項４のいずれか１項に記載のステージカー。
【発明の詳細な説明】
【技術分野】
【０００１】
本発明は、所望の場所、例えば、野外のイベント会場などにおいて容易に設営できるステージを備えると共に、移動もできるステージカーに関し、詳しくは、容易に設置できるばかりではなく、さらに、十分な強度を有するステージを備えるステージカーに関する。
【背景技術】
【０００２】
従来から、この種のステージをパネルトラックの荷台部分に装備し、側面のパネル板を開放状態としてステージカーとしたものが知られていた。
しかし、荷台部分のみをステージにすると、その広さがパネルトラックの大きさで限定される問題があった。
【０００３】
そこで、特許文献１には、パネルトラックを改造して、荷台部分の側面のパネル板と後面のパネル板とを開放状態に倒せるようにして、荷台部分と倒された側面のパネル板と後面のパネル板をステージとして利用し、従来の荷台のみのステージより拡張されたステージを形成するように構成されたステージカーが開示されている。
【先行技術文献】
【特許文献】
【０００４】
【特許文献１】特公平４−５０２１５号公報
【発明の概要】
【発明が解決しようとする課題】
【０００５】
しかし、特許文献１に記載のステージカーは、パネル板をステージとして利用しているので、拡張された部分のステージが、荷台部分のステージに対して強度が不足しており、拡張された部分のステージに人が乗ると足元が不安定となる問題があった。
【０００６】
また、拡張された部分のステージの強度が不足していることから、それ以上ステージを延設することもできず、ステージの広さが限定される問題もあった。さらに、パネル板を荷台部分と同等の強度とすると、パネル板自体の重量が増大し、開閉作業に多数の作業員が必要となり、ステージ設営作業が煩雑となる問題があった。
【０００７】
本発明は、上記課題を鑑みてなされたものであり、その具体的目的は、所望の場所において少数の作業員で容易に設営できると共に、十分な強度を有するステージを備えるステージカーを提供することにある。
【課題を解決するための手段】
【０００８】
本発明は、上記目的を達成するために案出されたものである。詳述するならば、トラックの荷台の前後、左右及び天井を覆う前面パネル、後面パネル、左右の側面パネル、天井パネルを備え、前記天井パネルと、少なくとも前記側面パネルの一方が開閉自在とされたステージカーであって、前記側面パネルを開閉する油圧シリンダーからなる側面パネル開閉装置と、前記荷台上に嵩上げされた本体ステージと、前記荷台の側縁部近傍の内側に蝶着され開閉自在なはね出しステージと、前記はね出しステージを開閉するはね出しステージ開閉装置とを備え、前記はね出しステージは設置状態でステージとして使用する所要の強度を有し、さらに、該はね出しステージの収納時は前記荷台の内側所要位置に保持固定され、前記はね出しステージ開閉装置は前記はね出しステージ設置後前記ステージの嵩上げ部分に収納可能である構成からなる。
【０００９】
本発明のステージカーは、トラックの荷台と開閉自在なはね出しステージを有することから、例えば、野外コンサート会場など所望の場所に移動設置することができ、さらに、はね出しステージで所望の強度を有する広いステージを確保できる効果がある。
【００１０】
本発明には、前記はね出しステージが、金属製のはね出しステージフレーム部と、該はね出しステージフレーム部の表面に帖設されたはね出しステージ床部と、前記はね出しステージ開閉装置と連結する連結部と、前記はね出しステージフレーム部に着脱自在な、はね出しステージ脚部とを備え、前記本体ステージは、前記荷台の上部に敷設された嵩上げ部を形成する所要高さのステージフレーム部と、該ステージフレーム部の上面に貼設されたステージ床部とを備え、前記連結部は前記はね出しステージフレーム部に軸着され、前記はね出しステージ脚部は、金属製で高さ調整機能を有する構成が含まれる。
【００１１】
本発明のはね出しステージは、金属製のはね出しステージフレーム部を有し、着脱自在の金属製パイプからなり、さらに、高さ調整機能を備えた、はね出しステージ脚部を有することで、設置時に荷台上の本体ステージと遜色ない強度を有し、また、設置場所に影響されることなく水平なステージが設置可能となる効果がある。
【００１２】
前記はね出しステージ開閉装置は、前記ステージフレーム部に内設された略矩形状のベースフレーム部と、前記ベースフレーム部に下端部を軸支され油圧で作動する油圧シリンダーと、前記油圧シリンダーの上端部が軸着され前記油圧シリンダーの作動に伴い揺動する略矩形状の揺動アーム部と、前記揺動アーム部に一方の端部が軸着され、他端部が前記連結孔と係止可能な連結フックを有する連結ワイヤーとからなり、前記揺動アーム部と前記連結ワイヤーとを前記ステージフレーム部に収納可能である構成が含まれる。
【００１３】
本発明のステージカーは、ステージフレーム部に収納可能な、はね出しステージ開閉装置を有することから、はね出しステージ開閉装置が邪魔にならないと共に、ステージ設置作業の人員を削減できる効果がある。
【００１４】
本発明には、前記側面パネルの上縁部と前記天井パネルの側縁部とが略直角に連結固定された状態で、前記側面パネルと前記天井パネルとを一体として上方へ跳ね上げることで開放するステージカーであって、前記開放状態において前記側面パネルが前記ステージの奥側に向け傾斜していることで、前記側面パネル上に降った雨水がステージの奥外側へ流れる構成が含まれる。
【００１５】
本発明の側面パネルと天井パネルとが、一体として上方へ跳ね上げ、側面パネルがステージ後方に向け傾斜していることで、ステージ上に張り出した屋根となり、降雨時にステージ内側に雨が流れ落ちにくくなる効果がある。
【００１６】
本発明の前記はね出しステージを設置した状態で、該はね出しステージの周縁部に延設する延設ステージは、前記はね出しステージを設置した位置の周縁部近傍に配置する金属製の延設ステージ用足場と、前記延設ステージ用足場に載設される延設パネルとを有し、前記延設ステージは前記はね出しステージ周縁部に連結部材で連結され、前記延設ステージ用足場は高さ調整機能と、前記延設パネルを載置する専用ブラケットを上端部に備える構成が含まれる。
【００１７】
本発明の延設ステージは、十分な強度を有する金属製の延設ステージ用足場と、専用の延設パネルとで、設営作業が容易であると共に、延設ステージ部分の強度も確保される効果がある。
【００１８】
本発明のステージカーは、前記ステージカーの荷台を支え、前記本体ステージの水平を調整するための油圧シリンダー有する車両脚部を備え、該油圧シリンダーが電動ポンプで発生する油圧で作動する構成が含まれる。
【００１９】
本発明の車両脚部を構成する油圧シリンダーは、電動ポンプで発生する油圧で作動するので、通常の車両用エンジンの回転を利用するポンプで発生する油圧で作動する通常のアウトリガーに比べ微調整が可能となり、本体ステージの水平調整作業が容易にできる効果がある。
【発明の効果】
【００２０】
本発明のステージカーは、所望の場所において少数の作業員で容易に設営できると共に、移動して設置できるステージでありながら十分な強度を有し、さらに、各脚部に高さ調整機能を備えるので、ステージを水平にし、延設することで広いステージを設置することができる効果がある。
【図面の簡単な説明】
【００２１】
【図１】本発明に係るステージカーのはね出しステージを展開した状態を示す斜視図である。
【図２】図１のはね出しステージを収納した状態を示す車両後方より見た部分断面図である。
【図３】図２のはね出しステージ開閉装置を示す拡大側面図である。
【図４】図３のはね出しステージ開閉装置を収納した状態を示す拡大平面図である。
【図５】図１に示すステージカーのはね出しステージを展開する前の状態を車両側面より見たはね出しステージの正面図である。
【図６】本発明に係る延設ステージの構成を示す斜視図ある。
【図７】本発明に係るステージにテントを設置した状態を示す車両側面より見たステージ正面図である。
【図８】図７に係るテントを設置した状態を示す車両後方より見た部分断面図である。
【図９】図６に係る延設ステージを設置した状態を示す斜視図である。
【発明を実施するための形態】
【００２２】
以下、本発明の実施形態を図面を参照しながら説明する。ただし、図面は模式的に図示しており、実際の寸法や比率等とは必ずしも一致しない。また、図面相互間において、お互いの寸法の関係や比率が異なる部分が含まれることがある。
尚、本実施形態において、ステージカーを説明する場合には、車両の進行方向を基準に前後方向、左右方向、上下方向を表現し、また、荷台側を内側、展開したステージ側を外側と言うこととする。また、ステージを説明する際には、観客席側をステージ前方とし、ステージカーの荷台側をステージ奥側と表現することとする。
【００２３】
図１及び図２に示されるように、本実施形態のステージカー１００は、荷台８の前後、左右及び天井を覆う前面パネル１と、後面パネル２と、左右の側面パネル３，３と、天井パネル５と、あおり部１２を備える所謂パネルトラックを改造し、天井パネル５と少なくとも左右の側面パネル３，３の一方が開閉自在とされたステージカー１００であって、側面パネル３，３の一方を開閉する油圧シリンダーからなる側面パネル開閉装置６と、荷台８の上部に嵩上げ載設された本体ステージ７と、荷台８の側縁部近傍の内側に蝶番１３で蝶着され開閉自在な、はね出しステージ９と、はね出しステージ９設置時の長さ方向の両端部に着脱自在に係止し連設されるそで部１４，１５と、そで部１４，１５のステージ奥側側面に着脱自在に嵌挿されるそで部パネル１６，１７と、はね出しステージ９を開閉するはね出しステージ開閉装置１０を備えている。
【００２４】
はね出しステージ９は、設置状態でステージとして使用する所要の強度を有し、さらに、はね出しステージ９の収納時は、荷台８の上部内側所要位置に、はね出しステージ開閉装置１０と固定部材１１で保持固定され、はね出しステージ開閉装置１０は、はね出しステージ９を設置後に本体ステージ７の嵩上げ部分に収納されている。
【００２５】
図３及び図５に示すように、はね出しステージ９は、金属製のはね出しステージフレーム部９１と、はね出しステージフレーム部９１の設置状態で上面に帖設されたはね出しステージ床部９２と、はね出しステージ開閉装置１０と連結する連結部９３と、はね出しステージフレーム部９１のステージ前方側の先端縁部の下面所要位置に突設された複数の円環形状の脚ボス部９４と、脚ボス部９４に着脱自在な金属製のパイプからなる、はね出しステージ脚部９５とを有する。また、はね出しステージ脚部９５は、設置する場所に対応し、はね出しステージ９の水平調整をするねじ式の高さ調整機部９６を有し、連結部９３は、はね出しステージフレーム部９１の長さ方向の中心で、かつ、幅方向のほぼ中心の位置に軸着され連結孔（図示せず）を有している。
【００２６】
図３及び図４に示すように、本体ステージ７は、荷台８の上面に敷設され嵩上げ部分を形成する所要高さのステージフレーム部７１と、そのステージフレーム部７１の上面に貼設されたステージ床部７２とで構成されている。
【００２７】
また、はね出しステージ開閉装置１０は、ステージフレーム部７１に内設され、金属製の四角柱パイプ材で形成された略矩形状のベースフレーム部１０Ａと、ベースフレーム部１０Ａに下端部を軸支され油圧で作動する油圧シリンダー１０Ｂと、その油圧シリンダー１０Ｂの上端部１０Ｃが軸着され油圧シリンダー１０Ｂの作動に伴い荷台８の幅方向に沿った向きに揺動する金属製の四角柱パイプ材で形成された略矩形状の揺動アーム部１０Ｄと、その揺動アーム部１０Ｄの上端部近傍に一方の端部が軸着され他端部が連結孔（図示せず）と係止可能な連結フック１０Ｅを有する連結ワイヤー１０Ｆとからなり、不使用時には、揺動アーム部１０Ｄと連結ワイヤー１０Ｆとをステージフレーム部７１に収納可能とされている。
【００２８】
図２及び図８に示すように本実施形態では、側面パネル３の上縁部と天井パネル５の側縁部とが略直角に連結固定された状態で、側面パネル３と天井パネル５とを一体として上方へ跳ね上げることで開放し、側面パネル３がステージ奥側後方に向け傾斜する角度まで跳ね上げることとする。
【００２９】
また、図６及び図９に示すように本実施形態では、はね出しステージ９を設置した状態で、はね出しステージ９のステージ前方に延設する延設ステージ１８は、はね出しステージ９を設置した位置のステージ前方の近傍に配置する金属製の延設ステージ用足場１９と、その延設ステージ用足場１９に載設される延設パネル２０とで構成され、延設ステージ１８は、はね出しステージ９の前面縁部に所謂シャコ万力（図示せず）などの連結部材で連結され固定されている。
【００３０】
延設ステージ用足場１９は、左右のパイプ状の支柱１９Ｄと支柱間を渡すパイプ状の横桟１９Ｅとで構成される梯子型建枠１９Ｃと、その梯子型建枠１９Ｃの脚部に貫入された、ねじ式の高さ調整部１９Ａと、さらに、梯子型建枠１９Ｃと梯子型建枠１９Ｃとを連結する筋交い２１とで構成されている。
【００３１】
また、梯子型建枠１９Ｃの上端縁部に沿わせ、延設パネル２０が載置可能な所要寸法の全体形状が長皿状で、長さ方向の両端にストッパー片１９Ｆと、幅方向の中心に仕切り片１９Ｇとを有する専用ブラケット１９Ｂが上端部に嵌合されている。
【００３２】
図７及び図８に示すように、本実施形態でステージ上にテント２００を設置する場合は、梁部分２０１，２０２にトラス構造を採用した金属製で十分強度を有する専用のテントを載置し、側面パネル３の内側面所要位置の側面パネル３の長さ方向に沿って付設されたパイプ部材３１と、テント奥側の長さ方向に沿った向きの梁部分２０２とをテント布部材２０３で連結し、雨どいを形成すれば、ステージに雨水が流れ落ちない効果が得られる。
【００３３】
また、ステージカー１００は、荷台８と設置地面との間に吊設され、荷台８を支え本体ステージ７の水平を調整するための油圧シリンダーを有する車両脚部３０を備えている。その車両脚部３０を構成する油圧シリンダーは、電動ポンプ（図示せず）で発生する油圧で作動するので、通常の車両用エンジンの回転を利用するポンプで発生させる油圧で作動する通常のアウトリガーに比べ、微調整が可能となり本体ステージ７の水平調整作業が容易にできる。
【００３４】
ステージカー１００は、以上のように構成されるが、以下にその設置方法を説明する。
まず、ステージカー１００の側面パネル３と天井パネル５とを一体として上方へ跳ね上げ開放し、あおり部１２を外側に展開する。次に、はね出しステージ９を外側に展開しながら固定部材１１を取り外し、さらに、はね出しステージ９を展開しつつ、脚ボス部９４にはね出しステージ脚部９５を嵌合し設置する。
【００３５】
はね出しステージ９が設置できた後に、連結フック１０Ｅをはね出しステージ９の連結孔（図示せず）から取り外し、油圧シリンダー１０Ｂを圧縮した後に、揺動アーム基部１０Ｇを固定している固定ボルト１０Ｊを取り外し、揺動アーム部１０Ｄと連結ワイヤー１０Ｆとをステージフレーム部７１に収納する。
【００３６】
さらに、はね出しステージフレーム部９１の下面と設置地面との間の所要箇所に補助脚部９７を設置する。はね出しステージ９を設置した後に、はね出しステージ９の長さ方向の両端側面に突設した係合部（図示せず）に、先端側面に挿入金具を突設した、そで部１４，１５を係止し、さらに、はね出しステージ９に使用するものと同様の部品である、はね出しステージ脚部９５を嵌合し設置する。また、そで部１４，１５の奥側側面に付設された係合部（図示せず）に、そで部パネル１６，１７を嵌挿し固定する。
【００３７】
一方、はね出しステージ９を収納する場合は、揺動アーム部１０Ｄの下端部に位置する揺動アーム基部１０Ｇをベースフレーム部１０Ａのアームベース部１０Ｈに合わせ、固定ボルト１０Ｊで固定する。次に、連結フック１０Ｅをはね出しステージ９の連結孔（図示せず）に係止し電動油圧ポンプ（図示せず）を作動させることで油圧シリンダー１０Ｂを伸長させ、揺動アーム部１０Ｄが荷台８の内側方向に揺動し傾斜することで、はね出しステージ９を収納状態に引き上げることができる。
【００３８】
さらに、車両を移動する際には、はね出しステージ９を収納し、上側先端部に固定部材１１の一端部を嵌合させ、他端部を天井パネル５の天井フレーム部５Ａに嵌合すると共に、はね出しステージ開閉装置１０の揺動アーム部１０Ｄが内側に傾斜した状態に維持することで固定し、さらに、側面パネル３と天井パネル５を閉鎖し、あおり部１２と係止し固定する。尚、固定部材１１は、はね出しステージ９の長さ方向に所要の間隔をおいて複数箇所に使用すると良い。
【００３９】
本実施形態では、はね出しステージフレーム部とテントの梁部分と補助脚部は、アルミニウム合金で形成し、はね出しステージ脚部と揺動アーム部とベースフレーム部と延設ステージ用足場は一般構造用炭素鋼で形成し、そで部パネルと延設パネルは所要強度を有する合板材を使用して一体に組み立て形成した。
【００４０】
上記の通り、本実施形態のステージカーは、各構成要素の強度を十分に得ることと、設置時に油圧シリンダーを有する車両脚部、はね出しステージ脚部、足場の高さ調整部、補助脚部の其々において水平調整が可能であるので、移動可能なステージでありながら十分な強度と広さのステージを提供できる効果がある。
【００４１】
以上のように、本発明を実施するための最良の構成、方法等は、前記記載で開示されているが、本発明は、これに限定されるものではない。
例えば、前記実施形態では、はね出しステージフレーム部とテントの梁部分と補助脚部はアルミニウム合金で形成したが、これは材料を限定するものではなく、ステンレス、炭素鋼、または、エンジニアリングプラスチックなどの合成樹脂を材料としても良い。
【符号の説明】
【００４２】
１    前面パネル
２    後面パネル
３    側面パネル
５    天井パネル
６    側面パネル開閉装置
７    本体ステージ
７１    ステージフレーム部
７２    ステージ床部
８    荷台
９    はね出しステージ
９１    はね出しステージフレーム部
９２    はね出しステージ床部
９３    連結部
９４    脚ボス部
９５    はね出しステージ脚部
９６    高さ調整部
１０    はね出しステージ開閉装置
１０Ａ    ベースフレーム部
１０Ｂ    油圧シリンダー
１０Ｃ    上端部
１０Ｄ    揺動アーム部
１０Ｅ    連結フック
１０Ｆ    連結ワイヤー
１０Ｇ    揺動アーム基部
１０Ｈ    アームベース部
１１    固定部材
１２    あおり部
１３    蝶番
１４，１５    そで部
１６，１７    そで部パネル
１８    延設ステージ
１９    延設ステージ用足場
１９Ａ    高さ調整部
１９Ｂ    専用ブラケット
１９Ｃ    梯子型建枠
１９Ｄ    支柱
１９Ｅ    横桟
１９Ｆ    ストッパー片
１９Ｇ    仕切り片
２０    延設パネル
２１    筋交い
３０    車両脚部
３１    パイプ部材
１００    ステージカー
２００    テント
２０１，２０２    梁部分
２０３    テント布部材      
【要約】
【課題】所望の場所に少数の作業員で容易に設営できると共に、十分な強度を有するステージを備えるステージカーを提供することにある。
【解決手段】トラックの荷台８の前後、左右及び天井を覆う前面パネル１、後面パネル２、左右の側面パネル３、天井パネル５を備え、後面パネル２と、少なくとも側面パネル３の一方が開閉自在とされたステージカー１００であって、側面パネル３を開閉する側面パネル開閉装置６と、荷台８の上の本体ステージ７と、荷台８の側縁部近傍の内側に蝶着され開閉自在なはね出しステージ９と、はね出しステージ９を開閉するはね出しステージ開閉装置１０とを備え、はね出しステージ９は設置状態でステージとして使用する所要の強度を有し、さらに、はね出しステージ９の収納時は荷台８の内側所要位置に保持固定され、はね出しステージ開閉装置１０ははね出しステージ９を設置後ステージ７の内部に収納可能である構成からなる。
【選択図】図１【図１】
0006736194.tif 000002
【図２】
0006736194.tif 000003
【図３】
0006736194.tif 000004
【図４】
0006736194.tif 000005
【図５】
0006736194.tif 000006
【図６】
0006736194.tif 000007
【図７】
0006736194.tif 000008
【図８】
0006736194.tif 000009
【図９】
0006736194.tif 000010